(57)【要約】【課題】腐食抑制成分除去装置のメンテナンスを必要とせず、長期にわたって使用可能な水供給装置を提供すること。【解決手段】導入水に腐食抑制成分を溶解させる腐食抑制成分添加装置と、前記腐食抑制成分添加装置の下流側に配設され、一対の対向する電極（１６ａ、１６ｂ）、陽イオン交換体１７と陰イオン交換体１８とから形成され、前記電極（１６ａ、１６ｂ）間に配されたイオン交換体２０を有する腐食抑制成分除去装置１５とを備え、前記腐食抑制成分除去装置１５に流入した前記腐食抑制成分は、イオン交換反応により前記導入水から除去させた後、排出されることを特徴とする水供給装置。【選択図】図３
2012061421.tif 000002
【特許請求の範囲】
【請求項１】
導入水に腐食抑制成分を溶解させる腐食抑制成分添加装置と、前記腐食抑制成分添加装置の下流側に配設され、一対の対向する電極、陽イオン交換体と陰イオン交換体とから形成され、前記電極間に配されたイオン交換体を有する腐食抑制成分除去装置とを備え、前記腐食抑制成分除去装置に流入した前記腐食抑制成分は、イオン交換反応により前記導入水から除去させた後、排出されることを特徴とする水供給装置。
【請求項２】
前記陽イオン交換体及び前記陰イオン交換体は、イオン交換樹脂を熱可塑性樹脂粒子と混合し形成した多孔質体であることを特徴とする請求項１に記載の水供給装置。
【請求項３】
前記陽イオン交換体を形成したイオン交換樹脂は、弱酸性イオン交換樹脂で、前記陰イオン交換体を形成したイオン交換樹脂は、弱塩基性イオン交換樹脂であることを特徴とする請求項２に記載の水供給装置。
【請求項４】
前記水分解イオン交換膜の再生時にのみに、前記腐食抑制成分を水に溶解させることを特徴とする請求項１〜３のいずれか１項に記載の水供給装置。
【請求項５】
前記請求項１〜４のいずれか１項に記載の水供給装置を、浴槽へ注湯する浴槽水注湯回路に配設したことを特徴とする給湯機。
【発明の詳細な説明】
【技術分野】
【０００１】
本発明は、給水設備、給湯設備等の水供給装置に係り、特に、腐食抑制成分除去装置のメンテナンスを必要とせず、長期にわたって使用可能な水供給装置に関するものである。
【背景技術】
【０００２】
従来この種の装置では、目的の成分を含む材料を水中に溶解させ、配管の腐食を抑制するために用いてきた（例えば、特許文献１参照）。
【０００３】
図７は、前記特許文献１に記載された従来の水供給装置を示すものである。図７に示すように、水回路１０に、腐食抑制成分添加装置１４と、腐食抑制成分添加装置１４の下流側に配設された腐食抑制成分除去装置１５とから構成されている。
【先行技術文献】
【特許文献】
【０００４】
【特許文献１】特開２００５−１２０７００号公報
【発明の概要】
【発明が解決しようとする課題】
【０００５】
前記従来の構成では、腐食抑制成分除去装置として陽イオン交換樹脂と陰イオン交換樹脂の２段処理による除去手法、もしくは逆浸透膜による除去手法を用いている。しかしながら、このうち陽イオン交換樹脂と陰イオン交換樹脂の２段処理による除去手法は、イオン交換容量により除去能力が制限される。腐食抑制成分の添加量が、イオン交換容量を超えた場合、腐食抑制成分は除去されず、水使用箇所から排出される。
【０００６】
このため、イオン交換容量に応じて、定期的にイオン交換体を交換するか、塩化ナトリウムを投入して再生処理を実施する必要がある。前者の場合、使用頻度により交換期間が異なるため、使用量を計測、表示する手段が必要となる。後者の場合、再生処理後、高濃度の塩化ナトリウム水が排出されるため、配管を腐食し装置寿命が短くなる。
【０００７】
本発明は、前記従来の課題を解決するもので、腐食抑制成分除去装置のメンテナンスを必要とせず、長期にわたって使用可能な水供給装置を提供することを目的とする。
【課題を解決するための手段】
【０００８】
前記従来の課題を解決するために、本発明の水供給装置は、導入水に腐食抑制成分を溶解させる腐食抑制成分添加装置と、前記腐食抑制成分添加装置の下流側に配設され、一対の対向する電極、陽イオン交換体と陰イオン交換体とから形成され、前記電極間に配されたイオン交換体を有する腐食抑制成分除去装置とを備え、前記腐食抑制成分除去装置に流入した前記腐食抑制成分は、イオン交換反応により前記導入水から除去させた後、排出されることを特徴とするものである。
【０００９】
これによって、電極に電圧を印加することにより、イオン交換体に吸着した腐食抑制成分を腐食抑制成分除去装置から排出することが可能である。従って、イオン交換体の交換、もしくは、塩化ナトリウム投入を省略でき、メンテナンス回数を低減するとともに、装置の長寿命化を実現することができる。
【発明の効果】
【００１０】
本発明によれば、腐食抑制成分除去装置のメンテナンスを必要とせず、長期にわたって
使用可能な水供給装置を提供できる。
【図面の簡単な説明】
【００１１】
【図１】本発明の実施の形態１における水供給装置の構成図
【図２】同腐食抑制成分添加装置の構成図
【図３】同腐食抑制成分除去装置の構成図
【図４】本発明の実施の形態２における腐食抑制成分添加装置の構成図
【図５】本発明の実施の形態３における給湯装置の構成図
【図６】本本発明の実施の形態４における焼結多孔質体の構成図
【図７】従来の水供給装置の構成図
【発明を実施するための形態】
【００１２】
第１の発明は、導入水に腐食抑制成分を溶解させる腐食抑制成分添加装置と、前記腐食抑制成分添加装置の下流側に配設され、一対の対向する電極、陽イオン交換体と陰イオン交換体とから形成され、前記電極間に配されたイオン交換体を有する腐食抑制成分除去装置とを備え、前記腐食抑制成分除去装置に流入した前記腐食抑制成分は、イオン交換反応により前記導入水から除去させた後、排出されることを特徴とする水供給装置である。
【００１３】
これによって、電極に電圧を印加することにより、イオン交換体に吸着した腐食抑制成分を腐食抑制成分除去装置から排出することが可能である。従って、イオン交換体の交換、もしくは、塩化ナトリウム投入を省略でき、メンテナンス回数を低減するとともに、装置の長寿命化を実現することができる。
【００１４】
第２の発明は、特に、第１の発明の水供給装置において、前記陽イオン交換体及び前記陰イオン交換体は、イオン交換樹脂を熱可塑性樹脂粒子と混合し形成した多孔質体であることを特徴とするものである。
【００１５】
これによって、通水時の圧力損失を低減することが可能となり、単位時間当たりの処理量を増加することが可能となる。同時に、導入水が、焼結体表面に露出していないイオン交換樹脂粒子にも接触するため、腐食抑制成分除去効率を向上できる。
【００１６】
第３の発明は、特に、第２の発明のイオン交換体において、陽イオン交換体を形成したイオン交換樹脂は、弱酸性イオン交換樹脂で、陰イオン交換体を形成したイオン交換樹脂は、弱塩基性イオン交換樹脂であることを特徴とするものである。
【００１７】
これによって、イオン交換体の再生時のｐＨを４より酸性にすることで、再生時の陽イオン吸着作用を抑制し、陽イオン交換体の再生を早く完了することができる。
【００１８】
第４の発明は、特に、第１〜３のいずれかの発明の水供給装置において、水分解イオン交換膜の再生時にのみに、腐食抑制成分を水に溶解させることを特徴とするものである。
【００１９】
これによって、腐食抑制成分処理水を口等に含むことに、嫌悪感を抱く可能性があることを考慮し、水使用箇所への腐食防止成分流入を防止できる。
【００２０】
第５の発明は、特に、第１〜４のいずれかの発明の水供給装置を、浴槽へ注湯する浴槽水注湯回路に配設したことを特徴とする給湯機である。
【００２１】
以下、本発明の実施の形態について、図面を参照しながら説明する。なお、この実施の形態によって本発明が限定されるものではない。
【００２２】
（実施の形態１）
図１は、第１の実施の形態における水供給装置を示すものである。また、図２は、腐食抑制成分添加装置１４の構造図を示すもので、図３は、腐食抑制成分除去装置１５の構造図を示すものである。
【００２３】
図１に示すように、水回路１０に、腐食抑制成分添加装置１４と、前記腐食抑制成分添加装置１４の下流側に腐食抑制成分除去装置１５と、前記腐食抑制成分除去装置１５に配設された排水流路１３とから構成されている。
【００２４】
図２において、ポリリン酸ナトリウムである腐食抑制成分１１は、粉末状または顆粒状、あるいは、粉末状と顆粒状との混合物であり、腐食抑制成分収納容器（無機化合物収納手段）１２に収納される。腐食抑制成分１１は、水に対して溶解性を持つ。図２中の腐食抑制成分１１は径が異なる顆粒状のものであり、これを多層状となるように構成すると、腐食抑制成分収納容器１２内には多孔質の空間が形成される。腐食抑制成分収納容器１２は、水回路１０によって連通され、腐食抑制成分添加装置１４を構成する。
【００２５】
以上のように構成された腐食抑制成分添加装置１４について、以下その動作、作用を説明する。
【００２６】
水回路１０から腐食抑制成分添加装置１４に流入する水は、腐食抑制成分収納容器１２に形成される多孔質の空間を通過する。水には粘性があるため、多孔質の空間を通過する際に腐食抑制成分１１の表面から表面近傍の領域には速度境界層が生成される。腐食抑制成分１１の表面近傍の速度境界層の流速は小さく、多孔質空間の中心部を通過する流速は大きい分布となる。
【００２７】
腐食抑制成分１１は水に対して溶解性を持つため、腐食抑制成分１１の表面近傍の腐食抑制成分１１の表面分子は、表面近傍の水に溶解し、水の溶解濃度が上昇する。表面近傍の水は流速が小さいため、溶解濃度は高い値となる。これに対して流速の大きい多孔質空間の中心部の流れる水の溶解濃度は低い。
【００２８】
このとき、水中に溶解する無機化合物の濃度差が生じた場合は、濃度差に応じて高い方から低い物質が移動する（フィックの法則）ため、表面近傍の水に溶解した無機化合物は濃度の低い中心の水に移動する。この物質拡散の原理を利用することで、腐食抑制成分１１を多孔質空間内の水に溶解させることができる。
【００２９】
溶解した腐食抑制成分１１は、ナトリウムイオンとポリリン酸イオンに各々イオン化する。ポリリン酸イオンは、導入水中のカルシウムイオン、マグネシウムイオン等２価の陽イオンとキレート結合し、これらの陽イオンをコロイド化する。このコロイド粒子がカソード部に吸着し、皮膜を形成する。
【００３０】
この形成された皮膜は、炭酸カルシウム結晶がスケールとして配管表面への固着することを防ぐ効果を有する。また、炭酸カルシウム結晶に吸着し、菱面体から球形の核に変化させることによりコロイド化させ、炭酸カルシウム結晶がスケールとして配管表面への固着することを防ぐ効果を有する。
【００３１】
ここで、図３に基づいて、腐食抑制成分除去装置１５の構成について、詳しく説明する。
【００３２】
腐食抑制成分除去装置１５は、対向する１組の第１の電極１６ａ、第２の電極１６ｂと、水に溶解している陽イオンを吸着する陽イオン交換体１７と水に溶解している陰イオン
を吸着する陰イオン交換体１８とが、表裏に極性が異なるよう張り合わせたイオン交換体２０とから構成されている。
【００３３】
イオン交換体２０は、電極１６間に複数枚積層されており、平板状の対向した電極１６間に平面上にイオン交換体２０を積層、また、半径の異なる同心円柱状の対向した電極１６間に同心円状や螺旋状にイオン交換体２０を積層してもよい。
【００３４】
イオン交換体２０は、スチレンまたはジビニルベンゼンの重合体または共重合体高分子を基本骨格とし、陽イオン交換体１７には、スルホン酸基またはアクリル酸やメタクリル酸等のカルボン酸基を導入しており、陰イオン交換体１８には、第４級アンモニウム基または第１〜３級アミノ基を導入している。
【００３５】
イオン交換体２０を成形する際、ポリエチレン等のイオン交換樹脂をポリエチレンやポリプロピレン等の熱可塑性樹脂に混練分散させることで、膜の成形性を向上することができる。表裏に極性が異なるよう張り合わせたイオン交換体２０は、水分解イオン交換膜と呼ばれ、電圧を印加することでイオン交換体の界面で水の解離が促進されるので、低電圧で水の解離を行うことができる。
【００３６】
腐食抑制成分除去装置１５は、水中に溶解しているイオンをイオン交換体２０で吸着する際と、イオン交換体２０に吸着したイオンを脱離する際とで、動作が異なるので、まず、腐食抑制成分除去装置１５が水中のイオンをイオン交換体２０で吸着する際について説明する。
【００３７】
腐食抑制成分除去装置１５が水中に溶解している腐食抑制成分１１を吸着する際は、水中に溶解した陽イオンＣａ、Ｍｇ、Ｎａ、Ｍｎ、Ｆｅ等の各イオンは陽イオン交換体１７で水素イオンに、水中に溶解した陰イオンポリリン酸、Ｃｌ、炭酸、硫酸、硝酸等の各イオンは、陰イオン交換体１８で水酸化物イオンにイオン交換することで、水中に溶解している各種イオンをイオン交換体２０に吸着する。
【００３８】
イオン交換体２０がイオンを吸着する際、イオン交換体２０の陽イオン交換体１７側の第１の電極１６ａを陽極、陰イオン交換体１８側の第２の電極１６ｂを陰極となるよう電圧を印加することで、腐食抑制成分除去装置１５内のイオンがイオン交換体２０に移動するので、イオン交換体のイオン吸着速度を増加させることができる。
【００３９】
その際、水分子が電気分解し水素分子と酸素分子を生成する水の理論分解電圧は１．２２６Ｖであるので、水の分解電圧未満の電圧を印加することで、水素ガスおよび酸素ガスが発生することなく水に溶解しているイオンを、イオン交換体２０で効率的に吸着することができる。
【００４０】
腐食抑制成分除去装置１５で水に溶解しているイオンを吸着することで、ｐＨの偏った水を処理した場合は、酸性の場合はアニオン種を水酸化物イオンに、塩基性の場合はカチオン種を水素イオンに交換することで中性の水に近づけることができるので、腐食抑制成分除去装置１５により処理した水は、ｐＨによる腐食を防止することができる。
【００４１】
また、水の分解電圧未満の電圧を印加していることで、処理水は水の分解ガスを含有しておらず、加熱手段より加熱され気体の溶解度が低下した場合であっても、水の分解ガスは生成せず、貯湯タンクおよび流路に蓄積することがない。
【００４２】
なお、腐食抑制成分除去装置１５で水に溶解しているイオンを吸着する際に、電極１６間に電圧を印加しなくてもよい。イオン交換体２０が水に溶解しているイオンを吸着する
作用に変わりはなく、処理水に水の分解ガスを含有しない効果も変わらない。
【００４３】
次に、腐食抑制成分除去装置１５がイオン交換体２０に吸着したイオンを脱離する際の動作、作用を説明する。
【００４４】
イオン交換体２０がイオンを脱離する際は、水回路１０により腐食抑制成分除去装置１５に導かれた水は、腐食抑制成分除去装置１５で処理された後、三方弁１９で切換えられ排水流路１３と通って水供給装置から排出される。腐食抑制成分除去装置１５では、イオン交換体２０の陽イオン交換体１７側の第１の電極１６ａを陰極、陰イオン交換体１８側の第２の電極１６ｂを陽極となるよう電圧を印加する。
【００４５】
水分子が水素イオンと水酸化物イオンに解離する水の理論解離電圧は０．８２８Ｖであるので、水の解離電圧以上の電圧を印加することでイオン交換体２０の陽イオン交換体１７と陰イオン交換体１８界面で水が解離し、イオン交換体２０に吸着したイオンと交換し脱離することでイオン交換体が再生する。
【００４６】
印加電圧を水の分解電圧未満にすれば、処理水は水の分解ガスを含有しないので、水供給装置から排出する間の排水流路１３に、溶存ガスが成長して気泡となり溜まることを防止することができる。
【００４７】
なお、印加電圧を水の分解電圧以上にした場合は、排水流路１３の配管径を細くし、排水流路１３の流速を十分に増加させ、排水流路１３内に気泡が滞留しないようにすることで、水の分解ガスが排水流路１３に溜まることを防止することができる。
【００４８】
水の分解ガスを確実に給湯機から排出できることから、水を解離しイオン交換体を再生するのに十分な電流を与えることができ、再生効率を向上することができるので、再生時間を短縮、再生排水を低減することができる。
【００４９】
（実施の形態２）
図４は、本発明の実施の第２の形態における腐食抑制成分添加装置１４の構造図を示すものである。
【００５０】
図４において、腐食抑制成分添加装置１４の入口と出口は、浴槽水注湯回路３９に接続されている。腐食抑制成分１１を収納する腐食抑制成分収納容器１２の相当直径ｄ１、浴槽水注湯回路３９の相当直径ｄ２とした場合、図４においてそれぞれをｄ１＞ｄ２となる大きさなるように決定した。
【００５１】
以上のように構成された水供給装置について、以下その動作、作用を説明する。水回路１０に対して、腐食抑制成分１１を収納した腐食抑制成分収納容器１２、ロ過手段を設けたので、腐食抑制成分添加装置１４を水が通過する際に、圧力損失が生じる。圧力損失が生じると、浴槽４２へ供給する水の流量が低下する。
【００５２】
ここで、腐食抑制成分収納容器１２の相当直径ｄ１を、浴槽水注湯回路３９の相当直径ｄ２に対して、ｄ１＞ｄ２となる大きさとすると、腐食抑制成分収納容器１２の平均流速ｕ１は、浴槽水注湯回路３９の平均流速ｕ２より小さくなる。水回路１０の流体の圧力損失は、流体の平均流速の２乗に比例するため、腐食抑制成分添加装置１４を通過する際の圧力損失の増加を低減させることができる。
【００５３】
以上のように、本実施の形態においては、腐食抑制成分収納容器の相当直径を、溶解装置を接続する浴槽水注湯回路の相当直径よりも大とすることにより、腐食抑制成分を通過
する水流による圧力損失を低減し、浴槽への湯はり時間を早く完了することができる。
【００５４】
（実施の形態３）
図５は、本発明の第３の実施の形態における給湯装置の構成図を示すものである。
【００５５】
図５において、圧縮機２２、給湯熱交換器２３、減圧手段２４、蒸発器２５を冷媒回路２６で順に環状に接続してヒートポンプユニット２１を構成している。貯湯ユニット２７の貯湯タンク２８には水が貯留されており、出湯回路３０は貯湯タンク２８、給湯水ポンプ２９、給湯熱交換器２３、貯湯タンク２８を順に接続する回路である。
【００５６】
浴槽水加熱回路３５は、貯湯タンク２８、風呂熱交換器３３、加熱ポンプ３４、貯湯タンク２８を順に接続する回路であり、風呂熱交換器３３の他方の回路には浴槽４２が接続されている。浴槽水循環回路４１は、浴槽４２、浴槽水を搬送する浴槽水ポンプ４０、風呂熱交換器３３を順に接続する回路である。浴槽水注湯回路３９は、貯湯タンク２８の水を、浴槽水循環回路４１を経由して浴槽４２へ注湯する回路である。
【００５７】
この回路には貯湯タンク２８の高温の水と水道水を混合する浴槽水混合弁３６、注湯する水温を検知する温度検知手段３７、浴槽水注湯回路３９の回路の開閉を行う浴槽水注湯弁３８を順に備える。腐食抑制成分添加装置１４は浴槽水注湯弁３８の下流側の浴槽水注湯回路３９に本体の筐体に収納するように設けた。
【００５８】
ヒートポンプユニット２１で貯湯タンク２８に貯留された水を加熱する運転は、以下のような動作となる。貯湯タンク２８の水は、給湯水ポンプ２９によって給湯熱交換器２３へ搬送され、ヒートポンプサイクル動作によって加熱される。給湯水ポンプ２９は給湯熱交換器２３で加熱された給湯水の温度が予め決定した温度になる様に、出湯回路３０の流量を制御する。
【００５９】
浴槽４２への湯張り、並びに、浴槽水の加熱は以下のような動作となる。浴槽水注湯回路３９の浴槽水混合弁３６は、温度検知手段３７で検知する注湯温度がリモコン等（図示せず）で予め設定された温度となるように、高温の湯と水道水の混合割合を調整する。所定温度となった浴槽水は、浴槽水注湯回路３９、浴槽水循環回路４１を順に経由して浴槽４２へ流出する。
【００６０】
一方、浴槽４２の浴槽水を加熱する場合は、貯湯タンク２８に貯留された高温の湯を、浴槽水加熱ポンプ３４によって風呂熱交換器３３へ搬送し、浴槽水ポンプ４０より搬送された浴槽水を加熱する。風呂熱交換器３３で浴槽水を加熱して温度が下がった給湯水は、給湯水下部回路３１が接続する貯湯タンク２８の下部より内部へ流入する。
【００６１】
以上のように構成された給湯装置について、以下その動作、作用を説明する。利用者が浴槽４２へ湯はりを行う場合は、リモコン等で湯はり動作の指示操作を行う。リモコン操作後、予め設定された温度に浴槽水混合弁３６で調整された水が、浴槽水注湯弁３８を閉から開に制御した場合に、腐食抑制成分添加装置１４、腐食抑制成分除去装置１５、浴槽水循環回路４１を経由して浴槽４２に流出する。水が腐食抑制成分添加装置１４を通過する際に、腐食抑制成分１１が水に溶解するものの、腐食抑制成分除去装置１５において腐食抑制成分１１を除去するので、浴槽４２に腐食抑制成分１１を溶解させた水が浴槽４２に流入することはない。
【００６２】
腐食抑制成分添加装置１４は、浴槽水注湯弁３８の下流側としたが、浴槽水注湯弁３８が開から閉へ制御された場合は、ウォーターハンマー現象が発生し、上流側の回路に設けている、浴槽水混合弁３６、貯湯タンク２８等は水道圧以上の水圧負荷を与える。下流側
に設けることによって、腐食抑制成分添加装置１４への水圧負荷が掛からない。
【００６３】
以上のように、本実施の形態においては、浴槽水注湯回路３９と、浴槽水注湯弁３８とを備え、浴槽水注湯弁３８、腐食抑制成分添加装置１４、腐食抑制成分除去装置１５の順に、これらを浴槽水注湯回路３９に配設した給湯装置とした。
【００６４】
これにより、溶解装置は浴槽への湯はり停止時などに生じるウォーターハンマー現象（浴槽水注湯回路等の水圧上昇）の影響を受けないため、溶解装置の耐圧構造を簡素化することができる。さらに、浴槽への湯はりの水流を利用するため、湯はりと同時に無機化合物を溶解させた水を浴槽へ供給できるので、利便性が向上する。
【００６５】
本発明において、腐食抑制成分添加装置１４と腐食抑制成分除去装置１５とは給湯機の本体筐体に収納し、浴槽水注湯回路３９としているが、浴槽水循環回路４１に設けても、同様の効果を得ることができる。
【００６６】
また、本体筐体外部の浴槽水循環回路４１に設けることも可能であるが、本体筐体内部の雰囲気温度は、低外気温時であっても貯湯タンク２８からの放熱により、筐体内部の雰囲気は常時加温されるため、腐食抑制成分添加装置１４の凍結防止などの断熱が不要、または簡素化できる。
【００６７】
また、給湯機を貯湯式給湯機とした場合、貯湯タンクには高温の湯を貯湯するので、この高温の湯を腐食抑制成分添加装置１４と腐食抑制成分除去装置１５とへ供給することによって機器の殺菌、滅菌を行うことができる。
【００６８】
（実施の形態４）
本発明のイオン交換体２０である水分解イオン交換膜の、陽イオン交換体１７や陰イオン交換体１８は、イオン交換樹脂５１を、ポリエチレン粒子５２と混合した後、焼結して得た多孔質体であるが、図６はその構造図を示すものである。これらの多孔質体は以下の方法によって得た。
【００６９】
平均粒子径５０ミクロン以上３００ミクロン以下で、合成樹脂の流動性の指数であるＭＦＲが３ｇ／１０ｍｉｎ以下のポリエチレン粒子と、平均粒子径が３０ミクロン以上、かつ、ポリエチレンの平均粒子径以下のイオン交換樹脂とをブレンダーを用いて均一に混合した。
【００７０】
このとき全体に占めるイオン交換樹脂の重量濃度を、５重量％以上６０重量％以下とした。得られた混合粉を金型に充填し、雰囲気温度がポリエチレン樹脂の融点＋５０度未満の槽内に５分以上放置して多孔質体５３を得た。得られた多孔質体５３は気孔５４を有し、この気孔５４を導入水が通過することで、大量の導入水を通水しても圧力損失を低くできる。
【産業上の利用可能性】
【００７１】
以上のように、本発明にかかる水供給装置は、信頼性向上、運転効率向上に繋がり、貯湯式給湯機の他、ガス熱源の給湯機等にも利用できる。
【符号の説明】
【００７２】
１０  水回路
１１  腐食抑制成分
１２  腐食抑制成分収納容器
１３  排水流路
１４  腐食抑制成分添加装置
１５  腐食抑制成分除去装置
１６ａ  第１の電極
１６ｂ  第２の電極
１７  陽イオン交換体
１８  陰イオン交換体
２０  イオン交換体（水分解イオン交換膜）
２１  ヒートポンプユニット
２７  貯湯ユニット
２８  貯湯タンク
３６  浴槽水混合弁
３７  温度検知手段
３８  浴槽水注湯弁
３９  浴槽水注湯回路
４２  浴槽
５１  イオン交換樹脂
５２  ポリエチレン粒子
５３  多孔質体
５４  気孔
【図１】
2012061421.tif 000003
【図３】
2012061421.tif 000004
【図５】
2012061421.tif 000005
【図７】
2012061421.tif 000006
【図２】
2012061421.tif 000007
【図４】
2012061421.tif 000008
【図６】
2012061421.tif 000009